(57)【要約】【課題】基準時からの経過時間や音声などの付帯情報に基づき、より効果的な被写体像の再生等を可能とする応用性の広いカメラを提供する。【解決手段】システムコントローラ２８は、時計回路３０から出力される日時情報に基づいて基準時点からの経過時間を計時し、撮像時の経過時間をその被写体像と共に記録するストップウォッチ機能を備える。そして、このストップウォッチ機能により撮像した一連の被写体像を再生する場合、システムコントローラ２８は、設定された総再生時間、計時された総経過時間、各々の撮影時に記録された経過時間から各被写体像毎の再生時間を算出し、この算出した時間に基づき、これら一連の被写体像の表示切り換えを実行する。【選択図】      図３
2005333461.tif 000002
【特許請求の範囲】
【請求項１】
撮像手段と、
計時手段と、
前記計時手段に計時させる経過時間の開始時をリセットするリセット手段と、
前記計時手段により計時される経過時間を前記撮像手段により撮像された被写体像に対応づけると共に、その経過時間の計時開始時が共通する一連の被写体像を他の被写体像と識別可能に記録する記録手段と
を具備することを特徴とするカメラ。
【請求項２】
撮像手段と、
計時手段と、
所定の時間を越えて操作が行われなかった場合、消費電力を低減させるための低消費電力状態に動作状態を移行させる省電力手段と、
前記撮像手段による被写体像の撮像時に、前記計時手段により計時される経過時間を前記被写体像に対応づけて記録する計時モードに撮像動作環境を設定する設定手段と、
前記計時モードが設定されている場合、前記省電力手段による低消費電力状態への移行を禁止する制御手段と
を具備することを特徴とするカメラ。
【請求項３】
撮像手段と、
計時手段と、
前記計時手段により計時される経過時間を前記撮像手段により撮像された被写体像に対応づけて記録する記録手段と、
前記経過時間の計時開始時における撮像で設定された撮像条件の少なくとも一部を同一にして以降の撮像を行うように前記撮像手段を制御する制御手段と
を具備することを特徴とするカメラ。
【請求項４】
撮像手段と、
計時手段と、
前記撮像手段により撮像された被写体像に対応づけて音声を記録する音声記録手段と、
前記撮像手段による被写体像の撮像時に、前記計時手段により計時される経過時間を前記被写体像に対応づけて記録する計時モードに撮像動作環境を設定する設定手段と、
予め定められた時間毎に切り換えながら前記撮像手段により撮像された被写体像を前記音声記録手段により記録された音声と共に再生するインターバル再生手段と
を具備し、
前記インターバル再生手段は、
前記予め定められた時間よりも長い時間の音声が対応づけられた、前記計時モードで撮像された被写体像を再生する場合、前記予め定められた時間が経過した時点で当該音声の再生を終了させて、次の被写体像の再生に切り換えることを特徴とするカメラ。
【請求項５】
撮像手段と、
計時手段と、
前記撮像手段により撮像された被写体像に対応づけて音声を記録する音声記録手段と、
前記撮像手段による被写体像の撮像時に、前記計時手段により計時される経過時間を前記被写体像に対応づけて記録する計時モードに撮像動作環境を設定する設定手段と、
予め定められた時間毎に切り換えながら前記撮像手段により撮像された被写体像を前記音声記録手段により記録された音声と共に再生するインターバル再生手段と
を具備し、
前記インターバル再生手段は、
前記予め定められた時間よりも長い時間の音声が対応づけられた、前記計時モードで撮像された被写体像を再生する場合、前記予め定められた時間が経過した後も当該音声の再生を継続させて、当該音声の再生が終了した後に、次の被写体像の再生に切り換えることを特徴とするカメラ。
【請求項６】
再生する被写体像の切り換えを指示する指示手段を具備し、
前記インターバル再生手段は、前記予め定められた時間を越えて前記音声が再生されているときに前記指示手段による指示がなされた場合、当該音声の再生を終了させて、次の被写体像の再生に切り換えることを特徴とする請求項５記載のカメラ。
【請求項７】
撮像手段と、
計時手段と、
前記計時手段により計時される経過時間を前記撮像手段により撮像された被写体像に対応づけて記録する記録手段と、
その経過時間の開始時が共通する一連の被写体像を、各々に対応づけられた経過時間に応じて算出される時間毎に切り換えながら再生するインターバル再生手段と
を具備することを特徴とするカメラ。
【請求項８】
前記インターバル再生手段は、前記一連の被写体像の総撮像枚数および計時された総経過時間の少なくとも一方により前記一連の被写体像全体の総再生時間を決定し、この総再生時間に基づき、各被写体像の再生時間を算出することを特徴とする請求項７記載のカメラ。
【請求項９】
前記一連の被写体像を小画面の集合画像として一括して再生する再生手段を具備することを特徴とする請求項１記載のカメラ。
【請求項１０】
前記一連の被写体像中の時間的に最先の被写体像を当該一連の被写体像の代表画像として再生する再生手段を具備することを特徴とする請求項１記載のカメラ。
【請求項１１】
基準とする開始時からの経過時間を計時し、
各被写体像の撮像時に計時されていた経過時間を当該被写体像に対応づけると共に、その経過時間の計時開始時が共通する一連の被写体像を他の被写体像と識別可能に記録する
ことを特徴とするカメラの記録方法。
【請求項１２】
基準とする開始時からの経過時間を計時し、
各被写体像の撮像時に計時されていた経過時間を当該被写体像に対応づけて記録し、
その経過時間の計時開始時が共通する一連の被写体像を、各々に対応づけられた経過時間に応じて算出される時間毎に切り換えながら再生する
ことを特徴とするカメラの記録再生方法。
【発明の詳細な説明】
【技術分野】
【０００１】
この発明は、基準時からの経過時間や音声などが付帯された被写体画像を各々の付帯情報に基づいて効果的に再生することを可能としたカメラ、カメラの記録方法および記録再生方法に関する。
【背景技術】
【０００２】
近年、被写体像をイメージセンサ上に結像して電気信号に変換し、これから得られる画像データをコンピュータ読み取り可能な記録媒体に記録する、いわゆる電子カメラが広く普及している。また、情報処理技術が応用可能となる電子化の利点を活かすべく、この種の電子カメラでは、多機能化を図るための種々の提案がなされている。
【０００３】
例えば特許文献１に記載のカメラでは、ストップウォッチ機能を備える。このストップウォッチ機能は、トラック競技での各競技者の撮影等に好適であり、例えば１回目のレリーズ操作で計時が開始され、２回目以降のレリーズ操作では、被写体像の撮像と共に計時中の経過時間が記録されるようにしたものである。この機能を用いれば、例えば競技のスタート時に１回目のレリーズ操作を行った後、各競技者がゴールする度にレリーズ操作を行うだけで、各競技者の被写体像と共にその競技時間も記録できる。
【０００４】
また、例えば特許文献２に記載のカメラでは、このように時間情報が付加された画像情報を、当該時間情報に従って再生する画像再生機能を備える。この画像再生機能は、例えば料理教室での各調理工程における撮像画像の再生等に好適であり、タイマー撮影モードで経過時間を記録しながら各画像を撮影した場合、タイマー再生モードでは、その画像を経過時間に沿って再生を行うようにしたものである。この機能によれば、後日調理過程を復習する際、料理教室での時間経過と同タイミングで各画像を参照することができる。
【０００５】
さらに、例えば特許文献３では、被写体像の撮像のみでなく、当該被写体像の撮像タイミングで音声を自動録音する機能を備えたカメラが記載されている。
【特許文献１】特開２０００−１２５１６５号公報
【特許文献２】特開２００１−１０３４３１号公報
【特許文献３】特開２００３−２３００９０号公報
【発明の開示】
【発明が解決しようとする課題】
【０００６】
前述したように、最近の電子カメラでは、時間情報や音声等、撮像した被写体像に種々の情報を付帯する機能が設けられてきている。しかしながら、これらの付帯情報は、その経過時間通りの再生を行う程度の利用に留まっており、例えば被写体像の再生をより効果的に行う等、再生機能については、カメラの応用性を広めるべく活用されているとは言い難いのが現状である。
【０００７】
この発明は、このような事情を考慮してなされたものであり、基準時からの経過時間や音声などの付帯情報に基づき、より効果的な被写体像の再生を可能とする等、応用性の広いカメラ、カメラの記録方法および記録再生方法を提供することを目的とする。
【課題を解決するための手段】
【０００８】
前述した目的を達成するために、この発明のカメラは、撮像手段と、計時手段と、前記計時手段に計時させる経過時間の開始時をリセットするリセット手段と、前記計時手段により計時される経過時間を前記撮像手段により撮像された被写体像に対応づけると共に、その経過時間の計時開始時が共通する一連の被写体像を他の被写体像と識別可能に記録する記録手段とを具備することを特徴とする。
【０００９】
また、この発明のカメラの記録方法は、基準とする開始時からの経過時間を計時し、各被写体像の撮像時に計時されていた経過時間を当該被写体像に対応づけると共に、その経過時間の計時開始時が共通する一連の被写体像を他の被写体像と識別可能に記録することを特徴とする。
【００１０】
この発明のカメラおよびカメラの記録方法においては、計時される経過時間をリセットする手段を備えると共に、このリセット手段で経過時間の計時開始時がリセットされた後の被写体像群を他の被写体像と識別可能に記録する手段を備えることを特徴とする。
【００１１】
また、この発明のカメラは、撮像手段と、計時手段と、前記計時手段により計時される経過時間を前記撮像手段により撮像された被写体像に対応づけて記録する記録手段と、その経過時間の計時開始時が共通する一連の被写体像を、各々に対応づけられた経過時間に応じて算出される時間毎に切り換えながら再生するインターバル再生手段とを具備することを特徴とする。
【００１２】
また、この発明のカメラの記録再生方法は、基準とする開始時からの経過時間を計時し、各被写体像の撮像時に計時されていた経過時間を当該被写体像に対応づけて記録し、その経過時間の計時開始時が共通する一連の被写体像を、各々に対応づけられた経過時間に応じて算出される時間毎に切り換えながら再生することを特徴とする。
【発明の効果】
【００１３】
この発明によれば、基準時からの経過時間や音声などの付帯情報に基づき、より効果的な被写体像の再生を可能とする等、応用性の広いカメラ、カメラの記録方法および記録再生方法を提供できる。
【発明を実施するための最良の形態】
【００１４】
以下、図面を参照してこの発明の実施形態を説明する。
【００１５】
図１は、この実施形態に係るカメラの前面から見た外観図である。本カメラは、被写体像をレンズによりイメージセンサ上に結像して電気信号に変換し、これにより得られた被写体像の画像データを記録メディアに記録するいわゆる電子カメラであり、図１に示すように、その筐体前面には、被写体光をカメラ本体内に取り込むための開口部１と、被写体を照明するためのストロボ２とが設けられている。また、筐体上面には、所望のタイミングで撮影動作を指示するためのレリーズボタン３が設けられている。
【００１６】
一方、図２は、この実施形態に係るカメラの背面から見た外観図である。図２に示すように、このカメラの筐体背面には、被写体像や各種メニューを表示するためのカラー液晶ディスプレイ（ＬＣＤ）４、このＬＣＤ４にメニューを表示させたり、その表示させたメニューに応答する操作を行うためのメニュー／ＯＫボタン５、ズーム操作を行うためのズームボタン６ａ，６ｂ、音声出力用のスピーカ７が設けられている。筐体上面には、図１に示したほか、音声入力用のマイクロホン８が設けられている。さらに、筐体の一側面には、各種動作設定を行うためのダイヤル９、メニュー操作を１つ前に戻すためのバックボタン１０、カメラ動作を撮影モードと再生モードとの間で切り換えるための切換スイッチ１１、カメラの電源をオン／オフするための電源ボタン１２が設けられている。
【００１７】
このカメラは、ある基準時からの経過時間を計時して被写体像の撮像時に併せて記録するストップウォッチ機能を備えている。カメラ動作が撮影モードである時、前述のメニュー／ＯＫボタン５を押してＬＣＤ４にメニューを表示させた後、ダイヤル９でストップウォッチモードを選択し、この選択状態で再度メニュー／ＯＫボタン５を押すと、カメラはストップウォッチモードに設定される。以下、このストップウォッチ機能に関わる動作原理について説明する。
【００１８】
まず、図３を参照して、このカメラ本体内の機器構成を説明する。開口部１に設けられたズームレンズ１３を通過した被写体光は、絞り１４によって光量が制御された後、さらにＡＦ（自動焦点調整）レンズ１５を通過する。このズームレンズ１３、絞り１４およびＡＦレンズ１５を通過した被写体光は、ＣＣＤ（２次元カラーイメージセンサ）１６に入射して、その撮像面上に被写体像を結像する。
【００１９】
ＣＣＤ１６は、光電変換を行なう複数の画素を２次元のマトリクス状に配列して撮像面を構成し、さらに撮像面にカラーフィルタを配置したものであり、撮像面に結像された被写体像に対応した信号電荷を蓄積する。このＣＣＤ１６には、撮像回路１７が付属しており、この撮像回路１７によって、露光、読み出し、素子シャッタ、ゲイン調整、電力供給等が制御される。また、ＣＣＤ１６からの出力は、Ａ／Ｄ変換器１８によりデジタル信号に変換された後、ＡＥ（自動露出）処理部１９、ＡＦ処理部２０および画像処理部２１に画像信号として入力される。
【００２０】
ＡＥ処理部１９では、Ａ／Ｄ変換器１８より出力されるデジタル化された画素信号を受け、各画素からの画素信号の累積加算を主体とする演算処理を行ない、この累積加算値に基づき被写体の明るさに応じたＡＥ評価値を求める。
【００２１】
ＡＦ処理部２０では、Ａ／Ｄ変換器１８より出力されるデジタル化された画素信号を受け、たとえば１画面分の画素信号の高周波成分をハイパスフィルタにより抽出し、これに対して累積加算等の演算処理を行なうことによって高域側の輪郭成分量に対応するＡＦ評価値を算出する。
【００２２】
また、画像処理部２１では、Ａ／Ｄ変換器１８より出力されるデジタル化された画素信号に対して、ＩＳＯ感度設定、オートホワイトバランス、輝度／色信号生成、ガンマ処理等が施されることにより、所定フォーマットのカラー画像信号が生成される。
【００２３】
この画像処理部２１によって生成されたカラー画像信号は、バッファメモリたるＤＲＡＭ２２に一時的に記憶される。このＤＲＡＭ２２には液晶制御部２３が接続され、カラー画像信号は、ここで表示出力に適した形態に変換されてＬＣＤ４に供給され、スルー画としてリアルタイムに表示される。
【００２４】
また、ＤＲＡＭ２２にはさらに圧縮伸長部２４が接続される。圧縮伸長部２４は、ＤＲＡＭ２２に記憶された画像信号を読み出して圧縮（符号化）処理を行なうことにより、記録媒体２５への記録に適した形態とするための圧縮処理部と、記録媒体２５に記録された画像信号を読み出して伸長（復号化）処理を行なう伸長処理部とからなる。そして、再生時には、伸長処理された画像信号がＤＲＡＭ２２に一時記憶され、液晶制御部２３を経てＬＣＤ４で適宜表示される。また、圧縮伸長部２４は、音声信号に対する圧縮処理や伸長処理を行うことも可能であり、マイクロホン８から入力された音声は、音声処理部２６でデジタル化された後、この圧縮伸長部２４により圧縮されて記録媒体２５に記録され、再生時には、この圧縮伸長部２４により記録媒体２５から読み出されて伸長され、音声処理部２６でアナログ化された後、スピーカ７から出力される。
【００２５】
ストロボ制御回路２７は、ストロボ２の発光量を制御する回路であり、所定量の電荷を蓄積可能なストロボ用コンデンサを備え、このストロボ用コンデンサを充放電させることによってストロボ２を発光させる。
【００２６】
以上の各部の動作は、システムコントローラ２８によりその制御が司られるが、このシステムコントローラ２８は、ＡＥ処理部１９およびＡＦ処理部２０の処理結果と操作部２９（図１のレリーズボタン３、図２のダイヤル９，バックボタン１０等に相当）からの指令に基づいて各部を制御するものであり、ＣＰＵを用いて構成される。
【００２７】
時計回路３０は、独自のバッテリを内蔵し、カメラ本体の電源オフ時も継続的に時刻を計数する時計モジュールであり、その計数した日時情報を出力する。電源回路３１は、各部が動作するために必要な電力を供給制御する。また、ＥＥＰＲＯＭ３２は、電気的に書き換えが可能な不揮発性メモリであり、各種処理プログラムやこれらの処理プログラムで使用される各種情報が格納される。
【００２８】
電源ボタン１２によりカメラの電源がオンされ、切換スイッチ１１によりカメラ動作が撮影モードに切り換えられ、さらに、メニュー／ＯＫボタン５およびダイヤル９によりストップウォッチモードが設定されると、システムコントローラ２８は、その後の最初のレリーズボタン５の押下時より、時計回路３０からの日時情報を使った経過時間の計時を開始する。つまり、最初に撮像される被写体像に付帯される経過時間は０となり、２枚目以降の被写体像には、この最初の被写体像の撮像時からの経過時間がその都度付帯されることになる。また、この経過時間の計時中、バックボタン１０が押されると、当該経過時間の計時はリセットされ、その後の最初のレリーズボタン５の押下時より、経過時間の計時が０から新たに開始されることになる。なお、ここでは、リセット用のボタンとして、バックボタン１０を援用する例を示したが、その他のボタンを援用したり、または専用のボタンを新設するように変形することは容易に可能である。また、最初のレリーズボタン５の押下時に代えて、その他のボタンの押下時等、何らかの操作を経過時間の計時開始時とするように変更することも可能である。
【００２９】
図４は、このカメラをストップウォッチモードに設定した場合のＬＣＤ４の表示例を示す図である。図示のように、システムコントローラ２８は、撮像対象の被写体像をスルー画像としてＬＣＤ４に表示するが、このスルー画像の左上部に、ストップウォッチモードである旨を報知するためのアイコンであるマーク（ａ）を表示すると共に、その右下部に、計時する経過時間（ｂ）を表示する。この経過時間（ｇ）は、最初にレリーズボタン５が押下されたタイミングで計時が開始されるので、ユーザは、進行中の経過時間をこの表示によって知ることができる。なお、このマーク（ａ）等の画像データは、ＥＥＰＲＯＭ２９に格納されている。
【００３０】
また、このカメラは、所定時間（例えば３分）を越えて何らの操作も行われなかった場合、ＬＣＤ４の消灯をはじめ、消費電力を低減させるための状態（スリープ状態）に動作状態を自動的に移行させるスリープ機能を有している。これに関して、システムコントローラ２８は、カメラがストップウォッチモードに設定されている場合は、いわゆるシャッターチャンスを逃すことがないように、このスリープ状態への移行を禁止する。
【００３１】
次に、図５および図６を参照して、ストップウォッチモードで撮影された被写体像の記録形式について説明する。
【００３２】
図５は、このカメラに取り外し自在に装着される記録媒体２５内のデータ構成を示す図であり、システムコントローラ２８は、図示のように、データ用ルートフォルダ２５１、サブフォルダ２５２、画像データ（被写体像）群２５３からなるツリー構造をデータ格納用に作成するほか、このツリー構造内に格納された画像データを管理するためのイメージリスト２５４を作成する。図６は、このイメージリスト２５４の一例を示す図である。
【００３３】
イメージリスト２５４は、テキストデータで構成されており、図６に示すように、１つの被写体像毎に１つのレコードが作成される。各レコードは、図示のＡ〜Ｄのフィールドを有しており、これらはそれぞれ次の事項を示している。つまり、Ａフィールドは、画像データの種類を示しており、”Still”とあるのは、それが静止画像であることを表している。Ｂフィールドは、撮影時のモードを示しており、”SW”とあるのは、それがストップウォッチモードであることを表している。Ｃフィールドは、計時結果を示しており、計時を開始してからの経過時間が秒単位で表されている。そして、Ｄフィールドは、各画像データの格納場所（パス）およびファイル名を表している。
【００３４】
このように、Ｂフィールドでストップウォッチモードかどうかを示し、Ｃフィールドで各々の撮像時の経過時間を示すので、結果として、システムコントローラ２８は、経過時間の計時開始時が共通する一連の被写体像を他の被写体像と識別可能に記録することになる（グループｃ１，ｃ２，ｃ３，…）。なお、この一連の被写体像の最後のレコードは、計時終了時の経過時間、つまり、計時した総経過時間を記録するために挿入されるものであり、その識別のため、Ｄフィールドに”RESET”と記録する。この計時終了時の経過時間の用途については後述する。次に、このように識別可能に記録したストップウォッチモードによる一連の被写体像の再生手順について説明する。
【００３５】
切換スイッチ１１によりカメラ動作が再生モードに設定された場合、システムコントローラ２８は、各被写体像をその撮像順に再生してＬＣＤ４に表示していく。ここでは、ズームボタン６ａ，６ｂの押下に応じて、表示対象の被写体像を前に戻し、または次に進めるように（いわゆるコマ送り）切り換え制御を行うものとするが、これに限らず、その他のボタンを援用したり、または専用のボタンを新設するように変形することは容易に可能である。
【００３６】
そして、システムコントローラ２８は、この切り換えによって表示しようとする被写体像がストップウォッチモードで撮像されたものであることを認識すると、経過時間の計時開始時が共通する一連の被写体像すべてを、１つの画像（代表画像）でＬＣＤ４に提示する。図７および図８には、この代表画像の提示例がそれぞれ示されている。
【００３７】
図７に示す第１の例では、システムコントローラ２８は、ストップウォッチモードで撮像された一連の被写体像のうち、時間的に最先の被写体像をそれらの代表画像としてＬＣＤ４に表示する。また、図８に示す第２の例では、システムコントローラ２８は、ストップウォッチモードで撮像された一連の被写体像（ここでは１４枚の被写体像）を小画面の集合画像として含む画像を編集してＬＣＤ４に表示する。これらの提示例は、どちらか一方を設定により選択できるようにしても良いし、どちらか一方を仕様として固定的に用いるようにしても良い。図７および図８に示す画像の右下には、それがストップウォッチモードで撮像された一連の被写体像の画像であることを示すマーク（ｄ）が提示される。このマーク（ｄ）により、ユーザは、この画像がストップウォッチモードの画像であることを認識することができる。つまり、被写体像を一覧表示する際、この計時開始時が共通する一連の被写体像のみをグループ化してわかりやすく提示することなどが可能となる。もし、図７の代表画像が表示された状態で、ズームボタン６ａによりコマ送りが指示されると、ストップウォッチモードで撮像された一連の被写体像中の時間的に次の被写体像に切り換わるのではなく、これら一連の被写体像全体の次の被写体像に切り換わる。この時、その画像がストップウォッチモードで撮像されたものであれば、これと同様、それらの中の時間的に最先の被写体像が代表画像として表示されることになる。
【００３８】
また、図７および図８に示すように、前述したマーク（ｄ）のほか、ストップウォッチモードの画像の右下には、マーク（ｅ）が提示される。このカメラは、被写体像の撮像と共に、音声の録音を行う機能を有しており、このマーク（ｅ）は、その被写体像に対応づけられた音声が存在する旨を示す。
【００３９】
レリーズボタン５は、いわゆる半押し状態でオンとなる第１のスイッチと、全押し状態でオンとなる第２のスイッチとを備えており、システムコントローラ２８は、第１のスイッチがオンになると、撮影準備としての測光処理や測距処理をＡＥ処理部１９やＡＦ処理部２０に指示し、第２のスイッチがオンになると、これらの準備処理の結果に基づき、本撮像の処理を実行する。そして、この第２のスイッチがオンになった後、このオンが解除されるまでの間、システムコントローラ２８は、マイクロホン８から音声を入力し続け、この入力した音声を被写体像と対応づけて記録媒体２５に格納する。被写体像との対応づけは、例えばファイル名の拡張子のみを画像用から音声用に換える等、どのような手法を用いても構わない。また、ストップウォッチモードでは、最初に第２のスイッチがオンになった時の直前の測光処理の結果をその後の撮像時にも利用する。ここでは、測光処理の結果について触れたが、そのほか、撮像条件のいずれの項目も同一に保つように変形することは容易である。
【００４０】
図７の代表画像が表示された状態で、コマ送りを指示すると、ストップウォッチモードで撮像された一連の被写体像全体の次の被写体像に切り換わることは説明したが、この一連の被写体像をそれぞれ再生させる場合には、当該代表画面の表示中に、メニュー／ＯＫボタン５を押下する。このメニュー／ＯＫボタン５の押下に応じて、システムコントローラ２８は、所定のタイミングで表示対象を切り換えながら、一連の被写体像それぞれを順次に再生していく。ここでは、この表示形態をインターバル再生と称する。そして、システムコントローラ２８は、このインターバル再生を行う際、各々の経過時間と音声の録音時間との付帯情報に基づき、被写体像の切り換えタイミングを制御する。
【００４１】
いま、ストップウオッチモードでの被写体像の撮像および各被写体像の撮像時における音声の録音が図９に示すように行われたものと想定する。具体的には、ストップウォッチモード設定後の１回目の撮像時に２．５秒間の音声が録音され、その３分後に、２回目の撮像が行われると共に、２秒間の音声が録音され、また、計時する経過時間が１０分となった時に３回目の撮像が行われ、その時に３秒間の音声が録音され、経過時間が１８分となった時に、４回目の撮像が行われると共に、１秒間の音声が録音され、さらに、経過時間が２０分となった時に５回目の撮像と１０秒間の音声録音が行われ、経過時間が３０分となった時に、経過時間のリセットまたはストップウォッチモードから他のモードへの移行が行われたものとする。
【００４２】
音声録音を伴う撮像が図９に示すように行われたストップウォッチモードでの一連の被写体像を対象にインターバル再生を行う場合、システムコントローラ２８は、図１０に示すように、（Ａ）〜（Ｃ）の３通りのいずれかの手順で表示制御を行う。なお、これらはいずれか１つを設定により選択できるようにしても良いし、いずれか１つを仕様として固定的に用いるようにしても良い。
【００４３】
まず、図１０（Ａ）に示す第１の例を説明すると、システムコントローラ２８は、各被写体像および音声の再生を所定時間毎に切り換えながら実行する。ここでは、その時間を２秒間とする。そして、この所定時間、つまり２秒間毎の切り換えを行うにあたり、システムコントローラ２８は、もし、２秒間以上の音声が録音されている場合、その音声の再生を２秒で終了させて、次の被写体像および音声の再生へと移行する。これにより、図中の１コマ目、３コマ目、５コマ目では、音声の再生が途切れることになる。なお、４コマ目は、音声の再生が終了した後も、２秒間が経過するまでは、被写体像の表示は継続される。本再生により、長い時間音声記録された画像が含まれていても、一定のタイミングで画像閲覧ができる。
【００４４】
次に、図１０（Ｂ）に示す第２の例を説明すると、システムコントローラ２８は、前述の第１の例と同様に、各被写体像および音声の再生を所定時間毎に切り換えながら実行するが、第１の例との違いは、音声の再生が所定時間を越える場合には、当該被写体像の再生と共に、その音声再生を終了まで継続する。これにより、図中の１コマ目、３コマ目、５コマ目は、その再生時間が各々の音声再生時間まで延長されることになる。本再生により、音声を途切れることなく再生することができる。
【００４５】
なお、第１の例および第２の例のいずれの場合も、ユーザが能動的にコマ送りの操作を行った場合には、それに従って、即座に再生対象を切り換える。
【００４６】
また、図１０（Ｃ）に示す第３の例では、システムコントローラ２８は、その一連の被写体像の撮影時に計時していた経過時間の計時終了時の経過時間（図６に示したイメージリスト２５４中のＤフィールドが”RESET”とあるレコードに記録された経過時間）と、予め定められたインターバル再生時間との関係から、被写体像の撮像間隔を再計算して切り換えタイミングを決定する。いま、インターバル再生時間が５分と設定されていると仮定すると、ストップウォッチモード解除時の経過時間３０分との比率が１：６となる。そこで、システムコントローラ２８は、１コマ目と２コマ目との撮像間隔３分を、この比率と対応させて３０秒と再計算し、１コマ目を再生してから３０秒後に２コマ目の再生へと移行するものとする。同様に、２コマ目と３コマ目との撮像間隔７分は、７０秒と再計算されることになる。本再生により、撮影時の雰囲気を再現しつつ、短時間で一連の被写体像を確認することができる。
【００４７】
なお、このインターバル再生時間は、一連の被写体像の総撮像枚数に応じて決定するようにしても良い。例えば、
（１）３０枚以内：枚数×１分
（２）３１枚以上：３０分（固定）
という規則に基づき、システムコントローラ２８は、まず、その一連の被写体像の総インターバル再生時間を決定し、その後に、前述した再計算を実行する。
【００４８】
次に、図１１乃至図１６のフローチャートを参照して、このカメラの動作手順について説明する。図１１は、ストップウォッチモード時の撮像動作手順の流れを示すフローチャートである。
【００４９】
システムコントローラ２８は、レリーズボタン５が半押しされて第１のスイッチがオンになったことを検出すると（ステップＡ１のＹＥＳ）、経過時間の計時が０の状態かどうかを調べ（ステップＡ２）、もし、０であれば（ステップＡ２のＹＥＳ）、測光処理をＡＥ処理部１９に指示する（ステップＡ３）。次に、システムコントローラ２８は、測距処理をＡＦ処理部２０に指示し（ステップＡ４）、測光処理の結果と測距処理の結果とから撮影条件を決定する（ステップＡ５）。
【００５０】
この後、システムコントローラ２８は、第１のスイッチのオフ（半押しの解除）または第２のスイッチのオン（全押し）を待機し（ステップＡ６，Ａ７）、第１のスイッチのオフを検出すると（ステップＡ６のＹＥＳ）、ステップＡ１に復帰する。一方、第２のスイッチのオンを検出すると（ステップＡ７のＹＥＳ）、システムコントローラ２８は、ステップＡ５で決定した撮影条件で撮影を実行し（ステップＡ８）、その時に計時されていた経過時間を記録する（ステップＡ９）。なお、この時の経過時間が０であれば、システムコントローラ２８は、この経過時間の記録と共に、そのタイミングで、経過時間の計時をスタートさせる。
【００５１】
そして、システムコントローラ２８は、第２のスイッチのオフを検出するまで、音声の録音を続け（ステップＡ１０）、第２のスイッチのオフが検出されたら（ステップＡ１１のＹＥＳ）、リセット操作があったかどうかを調べ（ステップＡ１２）、あれば（ステップＡ１２のＹＥＳ）、経過時間の計時を０にリセットし（ステップＡ１３）、ステップＡ１に復帰する。
【００５２】
図１２は、スリープ機能に関する動作手順の流れを示すフローチャートである。
【００５３】
システムコントローラ２８は、操作部２９より最後の通知を受けてからの経過時間が所定時間を越えていないかを監視する（ステップＢ１）。そして、もし、所定時間を越えていれば（ステップＢ１のＹＥＳ）、システムコントローラ２８は、ストップウォッチモードに設定されているかどうかを調べ（ステップＢ２）、ストップウォッチモードに設定されていなければ（ステップＢ２のＮＯ）、スリープ状態への移行を実行する（ステップＢ３）。
【００５４】
図１３は、撮像された被写体像の再生動作手順の流れを示すフローチャートである。
【００５５】
システムコントローラ２８は、まず、再生対象の被写体像がストップウォッチモードで撮像されたものかどうかを調べ（ステップＣ１）、ストップウォッチモードで撮像されたものであれば（ステップＣ１のＹＥＳ）、メニュー／ＯＫボタン５が押下されていないかどうかを調べる（ステップＣ２）。そして、このメニュー／ＯＫボタン５の押下を検出すると（ステップＣ２のＹＥＳ）、システムコントローラ２８は、そのストップウォッチモードで撮像された一連の被写体像について、インターバル再生処理を実行する（ステップＣ３）。
【００５６】
また、ストップウォッチモードで撮像されたものではなく（ステップＣ１のＮＯ）、または、ストップウォッチモードで撮像されたものであるが、メニュー／ＯＫボタン５の押下が検出されない場合（ステップＣ２のＮＯ）、システムコントローラ２８は、コマ送り操作が行われたかどうかを調べ（ステップＣ４）、行われていれば（ステップＣ４のＹＥＳ）、再生対象の被写体像を次に切り換える（ステップＣ５）。
【００５７】
図１４は、インターバル再生の動作手順の流れを示す第１のフローチャートであり、図１０（Ａ）に示す第１の例での動作手順の流れを示している。
【００５８】
システムコントローラ２８は、１コマ目の被写体像を表示し（ステップＤ１）、その被写体像に対応づけられた音声を再生すると（ステップＤ２）、その時点からの経過時間が所定時間を越えるか、またはユーザによりコマ送り操作が行われることを待機する（ステップＤ３，Ｄ４）。そして、所定時間が経過するか（ステップＤ３のＹＥＳ）、コマ送り操作が行われると（ステップＤ４のＹＥＳ）、システムコントローラ２８は、再生対象の被写体像を次に切り換え（ステップＤ５）、ステップＤ２からの処理を繰り返す。
【００５９】
図１５は、インターバル再生の動作手順の流れを示す第２のフローチャートであり、図１０（Ｂ）に示す第２の例での動作手順の流れを示している。
【００６０】
システムコントローラ２８は、１コマ目の被写体像を表示し（ステップＥ１）、その被写体像に対応づけられた音声を再生すると（ステップＥ２）、まず、その音声の再生が終了したかどうかを調べる（ステップＥ３）。そして、その終了を検出すると（ステップＥ３のＹＥＳ）、この被写体像の表示時間が所定時間を越えているかどうかを調べ（ステップＥ４）、もし、越えていれば（ステップＥ４のＹＥＳ）、再生対象の被写体像を次に切り換え（ステップＥ５）、ステップＥ２からの処理を繰り返す。
【００６１】
また、音声再生が終了していないか（ステップＥ３のＮＯ）、または所定時間を越えていない場合（ステップＥ４のＮＯ）、システムコントローラ２８は、ユーザによりコマ送り操作が行われているかどうかを調べる（ステップＥ６）。そして、コマ送り操作が行われると（ステップＥ６のＹＥＳ）、システムコントローラ２８は、その時点で、被写体像の切り換えを行って（ステップＥ５）、ステップＥ２からの処理を繰り返し、一方、行われていなければ（ステップＥ６のＮＯ）、そのままの状態を維持する。
【００６２】
図１６は、インターバル再生の動作手順の流れを示す第２のフローチャートであり、図１０（Ｃ）に示す第３の例での動作手順の流れを示している。
【００６３】
システムコントローラ２８は、まず、計時した総経過時間と各々の撮像時の経過時間とから各被写体像の再生時間を算出し（ステップＦ１）、それから、１コマ目の被写体像の表示を開始する（ステップＦ２）。これと共に、システムコントローラ２８は、その被写体像に対応づけられた音声を再生し（ステップＦ３）、その後、ステップＦ１で算出したその被写体像の再生時間が経過するか、またはユーザによりコマ送り操作が行われることを待機する（ステップＦ４，Ｆ５）。
【００６４】
そして、算出した再生時間が経過するか（ステップＦ４のＹＥＳ）、コマ送り操作が行われると（ステップＦ５のＹＥＳ）、システムコントローラ２８は、再生対象の被写体像を次に切り換え（ステップＦ６）、ステップＦ３からの処理を繰り返す。
【００６５】
つまり、例えば数十分の間に撮像された複数の被写体像を数分で再生するにあたり、各被写体像の再生の切り換えタイミングを時間的に前後する２つの被写体像間の時間間隔に応じて決定する等、より効果的な被写体像の再生を実現する。
【００６６】
以上のように、このカメラによれば、ストップウォッチモードで撮像された一連の被写体を効率的に記録し、より効果的な手順で再生することを可能とする。
【００６７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６８】
【図１】この発明の実施形態に係るカメラの前面から見た外観図
【図２】同実施形態のカメラの背面から見た外観図
【図３】同実施形態のカメラ本体内の機器構成図
【図４】同実施形態のカメラをストップウォッチモードに設定した場合のＬＣＤの表示例を示す図
【図５】同実施形態のカメラに取り外し自在に装着される記録媒体内のデータ構成を示す図
【図６】同実施形態のカメラが作成するイメージリストの一例を示す図
【図７】同実施形態のカメラが表示する代表画像の第１の例を示す図
【図８】同実施形態のカメラが表示する代表画像の第２の例を示す図
【図９】同実施形態のカメラによるストップウオッチモードでの被写体像の撮像および各被写体像の撮像時における音声の録音の具体例を示す図
【図１０】同実施形態のカメラが実行するインターバル再生を説明するための図
【図１１】同実施形態のカメラのストップウォッチモード時の撮像動作手順の流れを示すフローチャート
【図１２】同実施形態のカメラのスリープ機能に関する動作手順の流れを示すフローチャート
【図１３】同実施形態のカメラにおける撮像された被写体像の再生動作手順の流れを示すフローチャート
【図１４】同実施形態のカメラにおけるインターバル再生の動作手順の流れを示す第１のフローチャート（第１の例）
【図１５】同実施形態のカメラにおけるインターバル再生の動作手順の流れを示す第２のフローチャート（第２の例）
【図１６】同実施形態のカメラにおけるインターバル再生の動作手順の流れを示す第３のフローチャート（第３の例）
【符号の説明】
【００６９】
１…開口部、２…ストロボ、３…レリーズボタン、４…ＬＣＤ、５…メニュー／ＯＫボタン、６ａ，６ｂ…ズームボタン、７…スピーカ、８…マイクロホン、９…ダイヤル、１０…バックボタン、１１…切換スイッチ、１２…電源ボタン、１３…ズームレンズ、１４…絞り、１５…ＡＦレンズ、１６…ＣＣＤ、１７…撮像回路、１８…Ａ／Ｄ変換器、１９…ＡＥ処理部、２０…ＡＦ処理部、２１…画像処理部、２２…ＤＲＡＭ、２３…液晶制御部、２４…圧縮伸長部、２５…記録媒体、２６…音声処理部、２７…ストロボ制御回路、２８…システムコントローラ、２９…操作部、３０…時計回路、３１…電源回路、３２…ＥＥＰＲＯＭ。
【図１】
2005333461.tif 000003
【図２】
2005333461.tif 000004
【図３】
2005333461.tif 000005
【図４】
2005333461.tif 000006
【図５】
2005333461.tif 000007
【図６】
2005333461.tif 000008
【図７】
2005333461.tif 000009
【図８】
2005333461.tif 000010
【図９】
2005333461.tif 000011
【図１０】
2005333461.tif 000012
【図１１】
2005333461.tif 000013
【図１２】
2005333461.tif 000014
【図１３】
2005333461.tif 000015
【図１４】
2005333461.tif 000016
【図１５】
2005333461.tif 000017
【図１６】
2005333461.tif 000018